(57)【要約】【課題】  風路損失を増加させることなくスイッチング素子等のパワーデバイスを効率的に冷却できるようにする。【解決手段】  パワーデバイス２３を遠心ファン４の吐出口２２とモータ２との間の流路２９を形成する隔壁、例えば連結部１８（フランジ部３１）の外面に配置させることにより、パワーデバイス２３によってケース５内部の流路２９内の気流を乱すことがなく、風路損失を増大させることがない上に、遠心ファン４による空気の流れにおいてモータ２部分よりも上流側に位置するので、モータ２部分の熱の影響を受けることなく、パワーデバイス２３を効率的に冷却することが可能となるようにした。【選択図】    図１
2005002988.tif 000002
【特許請求の範囲】
【請求項１】
モータと、前記モータを駆動するための駆動回路と、前記駆動回路中のパワーデバイスと、前記モータの回転軸に取り付けられた遠心ファンと、前記モータと前記遠心ファンとを収納するケースと、を備える電動送風機において、
前記パワーデバイスを前記遠心ファンの吐出口と前記モータとの間の流路を形成する隔壁の外面に配置したことを特徴とする電動送風機。
【請求項２】
前記ケースは、前記モータを収納するモータケースと、前記遠心ファンを覆い前記モータケースの外周より大きい外周を有するファンカバーと、前記モータケースと前記ファンカバーとを連結する連結部とから構成されており、
前記パワーデバイスを前記連結部に配置したことを特徴とする請求項１記載の電動送風機。
【請求項３】
前記連結部は前記モータケースのフランジ部であることを特徴とする請求項２記載の電動送風機。
【請求項４】
前記連結部は、前記モータケース及び前記ファンカバーとは別の連結部材の一部であって、
前記連結部材は、前記ファンカバー内を前記モータケース内に連通させるための通風孔を有していることを特徴とする請求項２記載の電動送風機。
【請求項５】
前記遠心ファンの吐出口から前記モータ側に向かう気流を整流するディフューザを備え、前記パワーデバイスを前記ディフューザに対向する部位に配置したことを特徴とする請求項１記載の電動送風機。
【請求項６】
前記遠心ファンの吐出口と前記モータとの間の流路を形成する前記隔壁であって前記パワーデバイスの近傍に冷却通風孔を設けたことを特徴とする請求項１記載の電動送風機。
【請求項７】
前記モータはブラシレスモータであり、
前記ブラシレスモータに流れる電流をスイッチングする複数の前記パワーデバイスを、前記ブラシレスモータの回転軸を中心に略同一円周上に位置させて放射状に配置したことを特徴とする請求項１記載の電動送風機。
【請求項８】
請求項１ないし７の何れか一記載の電動送風機を備える電気機器。
【発明の詳細な説明】
【技術分野】
【０００１】
本発明は、電動送風機及びこの電動送風機を備える電気掃除機等の電気機器に関する。
【背景技術】
【０００２】
特許文献１の図１によれば、モータケーシングの外周部とファンケーシングの外周部との段差により形成されるスペースの、モータケーシングの外周にスイッチング素子を密着して設ける例が示されている。
【０００３】
特許文献２の図３によれば、制御・駆動集積回路基板を含むパッケージを、区切り板よりファン側で、ディフューザからの空気が直接当る領域のケーシングに取付ける例が示されている。
【０００４】
【特許文献１】特開平６−  ２６４９４号公報（図１）
【特許文献２】特開平６−２６１８４７号公報（図３）
【発明の開示】
【発明が解決しようとする課題】
【０００５】
特許文献１の図１に示す電動送風機では、スイッチング素子をモータケーシングの外周に設けている。しかしながら、ステータに近いモータケーシングの外周に取り付けられているため、ステータから発生する熱の影響を大きく受けるので、冷却効果が低いものである。さらに、モータケーシングの外周は、様々な目的のために各種の加工が施してあり、かつ、この外周面形状が曲面であったりするので、スイッチング素子の配置自由度が小さい上に、スイッチング素子とモータケーシングとを密着させにくいものである。このような不具合は、コスト増の原因にもなる。特に、冷却をさせたいパワーデバイスを複数備えるブラシレスモータ等では、これらの問題が顕著になる。
【０００６】
一方、特許文献２の図３に示す電動送風機では、ファンとモータとの間の風路に制御・駆動集積回路基板を含むパッケージを配置している。しかしながら、このような風路中にパッケージを配置すると風路損失が増加し、電動送風機の効率が低下する。特に、冷却をさせたいパワーデバイスを複数備えるブラシレスモータ等では、内部の風路が複雑になり、風路損失が増加する。
【０００７】
そこで、本発明の目的は、風路損失を増加させることなくスイッチング素子等のパワーデバイスを効率的に冷却できるようにすることである。
【課題を解決するための手段】
【０００８】
本発明の電動送風機は、モータと、このモータの回転軸に取り付けられた遠心ファンと、前記モータと前記遠心ファンとを収納するケースと、を備える電動送風機において、前記モータを駆動するための駆動回路中のパワーデバイスを、前記遠心ファンの吐出口と前記モータとの間の流路を形成する隔壁の外面に配置した。
【０００９】
従って、パワーデバイスを遠心ファンの吐出口とモータとの間の流路を形成する隔壁の外面に配置させることにより、パワーデバイスによってケース内部の流路内の気流を乱すことがなく、風路損失を増大させることがない上に、遠心ファンによる空気の流れにおいてモータ部分よりも上流側に位置するので、モータ部分の熱の影響を受けることなく、パワーデバイスを効率的に冷却することが可能となる。
【発明の効果】
【００１０】
本発明によれば、電動送風機の風路損失を増加させることなく、スイッチング素子等のパワーデバイスを効率的に冷却することができる。
【発明を実施するための最良の形態】
【００１１】
本発明の第１の実施の形態を図１ないし図４に基づいて説明する。図１は本実施の形態の電動送風機の構成を一部切欠いて示す側面図、図２はその一部の内部構成例を示す平面図、図３はディフューザ構成例を示す平面図及び底面図、図４は当該電動送風機の駆動回路を示す概略回路図である。
【００１２】
本実施の形態の電動送風機１は、概略的には、モータ２と、このモータ２の回転軸であるロータ軸３に取り付けられた遠心ファン４と、これらのモータ２や遠心ファン４を収納するケース５とを備えて構成されている。
【００１３】
ここに、本実施の形態のモータ２は、ブラシ付きモータの例を示し、モータケース６内に収納されている。このモータケース６の前端部側は開口部７とされており、このモータケース６には長手板状のブラケット８が当該モータケース６の直径方向に架橋されて開口部７の一部を覆うようにねじ９により取り付けられている。従って、ブラケット８により覆われていない開口部７が通風孔１０となる。そして、ブラケット８の略中央には、前方（遠心ファン４側）に向けて略円筒状に突出し内周側にベアリング１１ａを収納し略中央にロータ軸３用の貫通孔１２が開口形成されたベアリング収納部１３ａが設けられている。
【００１４】
また、ブラケット８の前方側には、ディフューザ１４が固定されている。さらに、このディフューザ１４の前方に遠心ファン４が配置されている。そして、モータケース６の外周部にはファンカバー１５が嵌合され（連結され）、このファンカバー１５により遠心ファン４やディフューザ１４が覆われている。このファンカバー１５は、前面の中央部に遠心ファン４の通風口１７に対向する吸込開口部１６を有するとともに、後面の全面に後部開口部（図示せず）が形成され、全体では略円筒状に形成されている。これらモータケース６とファンカバー１５とによりケース５が構成される。ここに、ファンカバー１５はモータケース６よりも遠心方向の外周サイズが大きく（外周大に）形成されている。そして、モータケース６の上端部（モータケース６から見てファンカバー１５を上方向とした場合）とファンカバー１５の下端部とが、連結部１８により接続されている。
【００１５】
一方、モータ２は、モータケース６に固定されたステータ１９と、このステータ１９の内側に配置されたロータ２０とにより構成されている。そして、ロータ２０の中心のロータ軸３の両端部がベアリング１１ａ，１１ｂにより回転自在に軸支されている。さらに、モータケース６の後面近傍の周面には、略径方向に位置させて排気口としての吹出口（図示せず）が開口形成されている。また、モータケース６の軸方向の後面側は後板部２１により有底状に閉塞されているとともに、この後板部２１の中央部が後方に向けて略円筒状に突出し、内周面側にベアリング１１ｂを収容するベアリング収納部１３ｂが設けられている。
【００１６】
ここに、ディフューザ１４の構成例を図３に基づいて説明する。ディフューザ１４は、図３（ａ）に示すように、略円板状の円板部８１と、この円板部８１の略中心に形成されてロータ軸３が貫通する貫通孔８２と、ブラケット８にねじで固定するためのねじ孔８３ａ，８３ｂと、遠心ファン４の外周部に位置するようにディフューザ１４の外周縁部寄りに立設された複数の円弧状ブレード８４と、図３（ｂ）に示すように円板部８１の他面側である裏面に渦巻状に立設された複数の円弧状ブレード８５と、を備えている。そして、ディフューザ１４は、ケース５の連結部１８に対向して嵌挿され、ブラケット８にねじで固定される。
【００１７】
このような構成において、ロータ軸３が回転すると、その回転と一体に遠心ファン４が回転し、この回転によって吸引空気が、ファンカバー１５の前面側に形成された吸込開口部１６から遠心ファン４を通り、吐出口２２から吹き出される。そして、この空気は、ファンカバー１５の内周面に沿って円弧状ブレード８４の間を、軸方向に広がるように流れる。次に、この空気は、円板部８１の裏面において、円弧状ブレード８５の間を渦巻状にディフューザ１４の中心に向けて流れる。このようにして、ディフューザ１４は、遠心ファン４の吐出口２２から吹き出される空気を、一様に整流させ、モータ２へ導く。
【００１８】
一方、当該電動送風機１は、図４に示すように、電力制御用のスイッチング素子２３を介して商用交流電源２４に接続されている。このスイッチング素子２３のゲートには、マイコン２５などで構成される電動送風機制御部２６が接続されている。そして、これらスイッチング素子２３及び電動送風機制御部２６は回路基板２７に実装されている。さらに、この電動送風機制御部２６には、電動送風機１の始動、停止又は電力を選択するための操作部２８が接続されている。このようにスイッチング素子２３や電動送風機制御部２６等により駆動回路２７ａが構成されている。
【００１９】
このような構成において、本実施の形態では、このような駆動回路２７ａ中に含まれるパワーデバイスとしてのスイッチング素子２３が、遠心ファン４の吐出口２２とモータ２との間の流路２９を形成する隔壁、具体的には、平面部により形成された連結部１８の外面に配置され、例えば、ねじ３０により固定されている。
【００２０】
このようなスイッチング素子２３の取り付け構造によれば、ケース５の一部（連結部１８）が、遠心ファン４の吐出口２２とモータ２の上端部（図１に示す電動送風機１の遠心ファン４の方向を上方向としたとき）、即ち遠心ファン４側の端部との間の流路を形成する隔壁を構成しており、当該スイッチング素子２３が流路２９中には配置されておらずケース５の一部であるこのような隔壁の外面に配置されているので、ケース５内部の流路における空気流を乱すことはない。よって、スイッチング素子２３によって当該電動送風機１の流路損失を増大させることなく、スイッチング素子２３の熱をケース５に逃がすことができる。また、スイッチング素子２３が配置される連結部１８（隔壁）は、遠心ファン４による気流においてモータ２よりも上流側に離れた位置であるので、モータ２から発生する熱の影響が小さい。また、電動送風機１の動作時には、スイッチング素子２３が配置された連結部１８の流路２９を流れる空気の温度は、連結部１８がモータ２よりも上流側にあるので、モータ２の下流側の空気温度よりも低く、かつ、連結部１８は、外気と接するケース５の一部であるので、スイッチング素子２３からの熱がこもりにくく、冷却効果が高いものとなる。また、このような連結部１８はファンカバー１５とモータケース６との遠心方向の外周サイズの違いを利用した段差部であり、構造的に平面部として形成することが容易であり、このような平面にスイッチング素子２３を取り付ければよいので、モータケース６の外周面に取り付けるような場合に比べて、当該スイッチング素子２３の取り付け自由度の高いものとなる。
【００２１】
また、本実施の形態においては、このような連結部１８は、遠心ファン４の吐出口２２からモータ２側に向かう気流を整流するディフューザ１４に対向する部位でもある。実際、本発明者の実験結果においても、当該ディフューザ１４に対向する部位に配置されたスイッチング素子２３の冷却効果の有効性を確認できたものである。
【００２２】
ところで、本実施の形態の具体的な構成例として、ケース５における連結部１８は、モータケース６と一体であって、このモータケース６の開口部７の周囲を外周方向に向けて突出するように断面略Ｌ字状に屈曲させたフランジ部３１により構成されている。このようなフランジ部３１を平面状に形成することは容易なので、スイッチング素子２３を固定しやすい。
【００２３】
ここで、図５及び図６に変形例を示す。図５は変形例を示す電動送風機の一部を切欠いて示す側面図、図６は電動送風機を示す平面図（上面図）である。前述した本実施の形態では、取付性、冷却効率等を考慮して段差により形成される平面部（フランジ部３１）にスイッチング素子２３を配置させるようにしたが、ステータ１９から発生する熱の影響を受けずに効率的に冷却できる点に着目した場合であれば、モータ２より吸込側で、電動送風機１の外面としては、ディフューザ１４に対向する部位、例えば、図５及び図６に示すように、ファンカバー１５の外周面部分に配置させて設けるようにしてもよい。
【００２４】
本発明の第２の実施の形態を図７及び図８に基づいて説明する。第１の実施の形態で示した部分と同一部分は同一符号を用いて示し、説明も省略する（後述の実施の形態でも同様とする）。
【００２５】
図７は本実施の形態の電動送風機の構成を一部切欠いて示す側面図、図８はその一部の内部構成例を示す平面図である。
【００２６】
本実施の形態は、基本的には、第１の実施の形態に準ずるものであるが、本実施の形態ではモータケース６に代えてモータケース３２が用いられている。本実施の形態のモータケース３２は、後板部３３による有底状構造でファンカバー１５側が開口部３４として開口してモータ２を収納する。そして、モータケース３２の外周よりも大きな外周を有する連結部材である円盤状のフレーム３５が、モータケース３２の開口部３４を閉塞するようにモータケース３２にねじ３６等により取り付けられている。さらに、ファンカバー１５の側壁を形成している側壁部８６がフレーム３５の外周縁部８７に圧入等により勘合される。そして、モータケース３２とファンカバー１５とが一体的に固着される。すなわち、フレーム３５はモータケース３２とファンカバー１５との間に配置されている。また、フレーム３５には、モータケース３２内をファンカバー１５内に連通させるための複数個の通風孔３７が、例えば図８に示すような扇形形状に形成されている。この通風孔３７は、遠心ファン４の性能に応じて、モータ２の冷却に必要な風量を確保するように設計される。また、フレーム３５の略中央には、前方に向けて略円筒状に突出し、その内周側にベアリング１１ａを収納しロータ軸３用の貫通孔１２が開口形成されたベアリング収納部１３ａが設けられている。
【００２７】
このような構成において、本実施の形態では、フレーム３５におけるモータケース３２よりも外周大な位置の外周部３８が、遠心ファン４の吐出口２２とモータ２との間の流路２９を形成する連結部１８（隔壁）となるものであり、この外周部３８の外面に位置させてスイッチング素子２３がねじ３０により配置固定されている。従って、フレーム３５の外周部３８を利用する本実施の形態の場合も、フランジ部３１を利用した第１の実施の形態の場合と同様の作用・効果を奏することができる。なお、本実施の形態では、モータケース６、ファンカバー１５及びフレーム３５の外周部３８がケース５を構成している。
【００２８】
さらに、このような構成において、本実施の形態のフレーム３５は、遠心ファン４の吐出口２２とモータ２の上端部との間の流路を形成する連結部１８（隔壁）を構成し、かつ、その一部が、発熱するモータ２よりも上流側（吸込側）の流路内に配置されている。これにより、熱を発生するモータ２よりも上流側の空気に接するフレーム３５の表面積が増加し、フレーム３５の冷却効果が高まる。従って、このフレーム３５に一体的に固定したスイッチング素子２３も効率的に冷却される。
【００２９】
本発明の第３の実施の形態を図９ないし図１１に基づいて説明する。図９は本実施の形態の電動送風機の構成を一部切欠いて示す側面図、図１０はその一部の内部構成例を示す平面図、図１１は当該電動送風機の駆動回路を示す概略回路図である。
【００３０】
さらに、このような構成において、本実施の形態のフレーム３５は、遠心ファン４の吐出口２２とモータ２の上端部との間の流路を形成する連結部１８（隔壁）を構成し、かつ、発熱するモータ２よりも上流側（吸込側）の流路内に配置されている。これにより、熱を発生するモータ２よりも上流側の空気に接するフレーム３５の表面積が増加し、冷却効果が高まる。従って、このフレーム３５に一体的に固定したスイッチング素子２３も効率的に冷却される。
【００３１】
本実施の形態は、基本的には、第１の実施の形態に準ずるものであるが、本実施の形態ではブラシ付きのモータ２に代えてブラシレスモータ４１を用いた電動送風機４２への適用例を示す。
【００３２】
まず、ブラシレスモータ４１を用いる場合の駆動回路２７ｂを含む駆動制御系の構成例を図１１に基づいて説明する。本実施の形態では、直流電源部４３を駆動源として駆動されるインバータ駆動回路４４から発生する交流電流によってブラシレスモータ４１からなる電動送風機４２を回転駆動させる。電動送風機４２の駆動を制御する電動送風機制御部４５はドライブ回路４６ａ〜４６ｆと接続され、インバータ駆動回路４４を構成するパワーＭＯＳＦＥＴ等のパワーデバイスであるスイッチング素子４７ａ〜４７ｆをスイッチング制御する。以下、各部の詳細を説明する。
【００３３】
直流電源部４３は、ニッケルカドミウム（ＮｉＣｄ）電池、ニッケル水素電池、又はリチウムイオン電池などの２次電池を複数本組み合わせた組電池、又は、商用交流電源を整流平滑したものである。この直流電圧が、インバータ駆動回路４４に供給される。
【００３４】
インバータ駆動回路４４は、６個のスイッチング素子４７a〜４７ｆを３相ブリッジ接続した構成になっている。これらのスイッチング素子４７a〜４７ｆは、マイコン４８を主体とする電動送風機制御部４５から出力されるパルス信号に基づき、高電圧側ドライブ回路４６ａ〜４６ｃ及び低電圧側ドライブ回路４６ｄ〜４６ｆにて駆動され、交流電流を電動送風機４２のＹ結線の巻線４９ａ〜４９ｃに供給する。
【００３５】
また、電動送風機制御部４５には、電動送風機４２の始動、停止又は電力を選択するための操作部５０、インバータ駆動回路４４に流れる電流を検出する電流検出手段５１、そして、入力電圧を検出する入力電圧検出手段５２等が接続されている。
【００３６】
さらに、電動送風機制御部４５には、ステータ５３に囲まれたロータ５４の永久磁石位置を検出するための位置検出手段５５が接続されている。このような位置検出手段５５としては、電気角１２０°間隔で設置した３つの磁気センサを用いる。磁気センサとしては、ホールセンサやホールＩＣ等がある。また、その他の永久磁石の位置検出方法として、特に図示しないが光学式パルスエンコーダを使用する方法や、巻線４９ａ〜４９ｃに誘起される電圧を電圧位相検出手段によって検出する方法などが使用可能である。
【００３７】
このような構成において、パワーデバイスである複数個のスイッチング素子４７ａ〜４７ｆは、回路基板５６に実装され、さらに、ねじ３０などによって、モータケース６の連結部１８（フランジ部３０）の外面に配置されて固定されている。この場合、１個のみのスイッチング素子２３とは異なり複数個のスイッチング素子４７ａ〜４７ｆが対象となるが、これらのスイッチング素子４７ａ〜４７ｆは図１０に示すように、ブラシレスモータ４１のロータ軸３を中心に略同一円周上（厳密に同一円周上でなくてもよい）に位置させて等間隔で放射状に配置されている。
【００３８】
このようなスイッチング素子４７ａ〜４７ｆの取り付け配置構造とすることによって、前述の第１の実施の形態の場合と同様に、スイッチング素子４７ａ〜４７ｆを、電動送風機４２の風路損失を増大させることなく効果的に冷却することができる。特に、本実施の形態のようなブラシレスモータ４１を駆動させる場合、スイッチング素子が複数個必要であり、これらの複数個のスイッチング素子４７ａ〜４７ｆを、電動送風機４２の流路損失を増大させることなく、効果的に冷却することができる本実施の形態は、特に効果的である。また、これらの複数個のスイッチング素子４７ａ〜４７ｆをロータ軸３を中心に略同一円周上に位置させて放射状に配置させているので、これらのスイッチング素子４７ａ〜４７ｆの冷却のばらつきを軽減し、均等に冷却する上でも効果的となり、スイッチング素子４７ａ〜４７ｆの動作、従って、回路動作を安定させることができる。
【００３９】
なお、本実施の形態は、第１の実施の形態方式への適用例として説明したが、フレーム３５を用いる第２の実施の形態方式であっても同様に適用できる。
【００４０】
また、これらの実施の形態では、モータケース６，３１の閉塞構造として有底状構造のものとして説明したが、後板部２１，３３が別部材で閉塞するように構成されたものであってもよい。
【００４１】
また、これらの実施の形態では、パワーデバイスとしてトライアックやパワーＭＯＳＦＥＴ等のスイッチング素子２３，４７ａ〜４７ｆの例で説明したが、これらの素子に限らず、駆動により発熱を伴うもの、例えば、ＩＧＢＴ（Insurated Gate Bipolar Transistor）等のスイッチング素子も適用対象となり、又は、これらの素子単体に限らず、１チップにパッケージ化又はデバイス化したものでも適用対象となり、さらには、抵抗素子の場合にも適用対象となり得る。
【００４２】
本発明の第４の実施の形態を図１２に基づいて説明する。本実施の形態は、前述したような構成の電動送風機１又は４２を搭載するのに特に適した電気機器としての電気掃除機への適用例である。図１２は、本実施の形態の電気掃除機の外観構成を示す斜視図である。
【００４３】
本実施の形態の電気掃除機６１は、その基体をなすハウジング６２、一端をハウジング６２に着脱自在に接続されたホース６３、ホース６３の他端側に設けられた手元操作部６４、一端側を手元操作部６４に着脱自在に接続された２分割構成の延長管６５、延長管６５の他端側に着脱自在に取付けられた吸込口体６６、ハウジング６２内に収納保持された電動送風機１又は４２、ハウジング６２内に形成された集塵室６７等により構成されている。
【００４４】
ホース６３は、その基端が集塵室６７を介して電動送風機１又は４２の吸込側に連通するようにハウジング６２に接続されており、そのホース６３の他端側に設けられた手元操作部６４には、後方に向けて延出した握り部６８と、この握り部６８を握った操作者の指で操作可能な範囲に位置する操作手段６９が設けられている。
【００４５】
操作手段６９は、電動送風機１又は４２の電源スイッチを兼ね、この電動送風機１又は４２を各々異なる駆動状態にする複数種類の運転モードを選択することができるように構成されている。具体的には、握り部６８から延長管６５の方向に向けて、運転モードを停止状態とする停止操作ボタン６９ａ、運転モードを弱運転状態とする弱運転操作ボタン６９ｂ、運転モードを強運転状態とする強運転操作ボタン６９ｃが一列に順次並んで配設されている。このような構成で、例えば強運転状態の時に、電動送風機１又は４２は３０，０００ｒｐｍレベルの高速で回転し、ゴミを吸引する。
【００４６】
電気掃除機のゴミ吸込力に影響を与える要因は幾つかあるが、その中に、入力電力と風路損失がある。入力電力が大きいと、ゴミ吸引力は向上するが、その電力制御をするスイッチング素子の発熱量は大きくなる傾向にある。発熱量が大きすぎる場合は、入力電力を抑制する場合もある。また、当然、風路損失が大きいと、ゴミ吸引力は低下する。従って、本実施の形態のように、風路損失を低下させることなく、パワーデバイスの冷却を効果的に実現できる前述の電動送風機１又は４２を搭載することは、電気掃除機６１のゴミ吸込性能を向上させるために特に有効である。
【００４７】
本発明の第５の実施の形態を図１３に基づいて説明する。図１３は本実施の形態の電動送風機の構成を一部切欠いて示す側面図である。本実施の形態は、基本的には、第１の実施の形態に準ずるものであるが、本実施の形態ではモータ２の上流側のモータケース６であってスイッチング素子２３の近傍に冷却通風孔７０が設けられている。即ち、冷却通風孔７０は、吹き出す空気がスイッチング素子２３に直接当たる位置、又は吹き出す空気がスイッチング素子２３の周囲に（直接的に）強制対流を起こす位置に設けられている。図１３では、具体的に、スイッチング素子２３を固定した近傍で、ロータ軸３と平行なモータケース６の側面に冷却通風孔７０を設けた例を示している。冷却通風孔７０は一つでも複数でも良い。
【００４８】
このような構成をとることによって、スイッチング素子２３の表面又は近傍に、モータ２を通過する前の温度上昇が少ない空気を流すことができる。従って、スイッチング素子２３を強制空冷することができ、モータケース６又はフランジ部３１への放熱と併せて、スイッチング素子２３の冷却効果が著しく向上する。
【００４９】
本発明の第６の実施の形態を図１４に基づいて説明する。図１４は本実施の形態の電動送風機の一部の内部構成例を示す平面図である。本実施の形態は、基本的には、第３の実施の形態に準ずるものであるが、本実施の形態ではブラシレスモータ４１の上流側のフランジ部３１であってスイッチング素子４７ａ〜４７ｆの近傍に冷却通風孔７１が設けられている。即ち、冷却通風孔７１は、吹き出す空気がスイッチング素子４７ａ〜４７ｆの周囲に（直接的に）強制対流を起こす位置に設けられている。図１４では、具体的に、スイッチング素子４７ａ〜４７ｆを固定した近傍で、ロータ軸３と垂直なフランジ部３１に冷却通風孔７１を複数個設けた例を示している。
【００５０】
このような構成をとることによって、スイッチング素子４７ａ〜４７ｆの表面又は近傍に、ブラシレスモータ４１を通過する前の温度上昇が少ない空気を流すことができる。従って、スイッチング素子４７ａ〜４７ｆを強制空冷することができ、モータケース６又はフランジ部３１への放熱と併せて、スイッチング素子４７ａ〜４７ｆの冷却効果が著しく向上する。
【図面の簡単な説明】
【００５１】
【図１】本発明の第１の実施の形態の電動送風機の構成を一部切欠いて示す側面図である。
【図２】その一部の内部構成例を示す平面図である。
【図３】ディフューザの構成例を示し、（ａ）は平面図、（ｂ）は底面図である。
【図４】当該電動送風機の駆動回路を示す概略回路図である。
【図５】変形例の電動送風機の一部を切欠いて示す側面図である。
【図６】電動送風機を示す平面図である。
【図７】本発明の第２の実施の形態の電動送風機の構成を一部切欠いて示す側面図である。
【図８】その一部の内部構成例を示す平面図である。
【図９】本発明の第３の実施の形態の電動送風機の構成を一部切欠いて示す側面図である。
【図１０】その一部の内部構成例を示す平面図である。
【図１１】当該電動送風機の駆動回路を示す概略回路図である。
【図１２】本発明の第４の実施の形態の電気掃除機の外観構成を示す斜視図である。
【図１３】本発明の第５の実施の形態の電動送風機の構成を一部切欠いて示す側面図である。
【図１４】本発明の第６の実施の形態の電動送風機の一部の内部構成例を示す平面図である。
【符号の説明】
【００５２】
１              電動送風機
２              モータ
３              回転軸
４              遠心ファン
５              ケース
６              モータケース
１４              ディフューザ
１５              ファンカバー
１８              連結部、隔壁
２２              吐出口
２３              パワーデバイス（スイッチング素子）
２７ａ，２７ｂ    駆動回路
３１              フランジ部、隔壁
３２              モータケース
３５              連結部材（フレーム）
３７              通風孔
４１              ブラシレスモータ
４２              電動送風機
４７ａ〜４７ｆ    パワーデバイス（スイッチング素子）
７０，７１        冷却通風孔
【図１】
2005002988.tif 000003
【図２】
2005002988.tif 000004
【図３】
2005002988.tif 000005
【図４】
2005002988.tif 000006
【図５】
2005002988.tif 000007
【図６】
2005002988.tif 000008
【図７】
2005002988.tif 000009
【図８】
2005002988.tif 000010
【図９】
2005002988.tif 000011
【図１０】
2005002988.tif 000012
【図１１】
2005002988.tif 000013
【図１２】
2005002988.tif 000014
【図１３】
2005002988.tif 000015
【図１４】
2005002988.tif 000016